(57)【要約】【課題】ユーザが適切な閾値をスムーズに設定可能にすることを目的とする。【解決手段】２色変換に関する特徴量の閾値を変更する変更画面を表示部に表示する表示手段と、変更画面を介して変更された閾値に基づき入力データに対して２色変換を行う２色変換手段と、を有し、表示手段は、変更画面に閾値を変更する際の参考情報を含めて、変更画面を表示部に表示することによって課題を解決する。【選択図】図３
2014060521.tif 000002
【特許請求の範囲】
【請求項１】
２色変換に関する特徴量の閾値を変更する変更画面を表示部に表示する表示手段と、
前記変更画面を介して変更された前記閾値に基づき入力データに対して２色変換を行う２色変換手段と、
を有し、
前記表示手段は、前記変更画面に前記閾値を変更する際の参考情報を含めて、前記変更画面を前記表示部に表示する画像処理装置。
【請求項２】
前記表示手段は、前記参考情報として前記特徴量のヒストグラムを前記変更画面に含めて、前記変更画面を前記表示部に表示する請求項１記載の画像処理装置。
【請求項３】
前記表示手段は、前記参考情報として前記２色変換の複数の変換候補を前記変更画面に含めて、前記変更画面を前記表示部に表示する請求項１記載の画像処理装置。
【請求項４】
前記表示手段は、前記参考情報として前記２色変換の複数の変換候補と前記特徴量のヒストグラムとを前記変更画面に含めて、前記変更画面を前記表示部に表示する請求項１記載の画像処理装置。
【請求項５】
前記変更画面において表示された複数の変換候補のうち選択された変換候補に基づき前記閾値を変更する変更手段を更に有し、
前記２色変換手段は、前記変更手段で変更された前記閾値に基づき入力データに対して２色変換を行う請求項３又は４記載の画像処理装置。
【請求項６】
前記特徴量は、色相値、彩度値、輝度値、ＲＧＢ成分値の何れかである請求項１乃至４何れか１項記載の画像処理装置。
【請求項７】
前記入力データの特徴量の傾向に基づき、前記参考情報を切り替える切り替え手段を更に有する請求項１乃至６何れか１項記載の画像処理装置。
【請求項８】
画像処理装置が実行する画像処理方法であって、
２色変換に関する特徴量の閾値を変更する変更画面を表示部に表示する表示ステップと、
前記変更画面を介して変更された前記閾値に基づき入力データに対して２色変換を行う２色変換ステップと、
を含み、
前記表示ステップでは、前記変更画面に前記閾値を変更する際の参考情報を含めて、前記変更画面を前記表示部に表示する画像処理方法。
【請求項９】
コンピュータに、
２色変換に関する特徴量の閾値を変更する変更画面を表示部に表示する表示ステップと、
前記変更画面を介して変更された前記閾値に基づき入力データに対して２色変換を行う２色変換ステップと、
を実行させ、
前記表示ステップでは、前記変更画面に前記閾値を変更する際の参考情報を含めて、前記変更画面を前記表示部に表示するプログラム。
【発明の詳細な説明】
【技術分野】
【０００１】
本発明は、画像処理装置、画像処理方法及びプログラムに関する。
【背景技術】
【０００２】
近年、フルカラー複合機がその低価格化及び高機能化に伴って普及してきている。ここで、一般的にフルカラー印刷の方がモノクロ印刷よりもコストがかかるという問題を解決する機能として２色印刷が提案されている。２色印刷とは、入力されたカラー原稿を黒と赤といった２色に変換する画像処理を施した上で印刷する機能であり、フルカラー印刷よりも低コストに抑えつつ、カラー画像の効果を得ることができるものである。
ここで、２色印刷はフルカラー印刷よりも少ない色数で印刷を行うため、その印刷結果がユーザの意図とは異なるものとなる恐れがある。この問題を解決するため、ユーザが出力プレビューを確認しながら、カラー原稿を２色に変換するための閾値を調整できる技術が提案されている（特許文献１）。
【先行技術文献】
【特許文献】
【０００３】
【特許文献１】特開２００６−２７０２２２号公報
【発明の概要】
【発明が解決しようとする課題】
【０００４】
特許文献１の手法でユーザが閾値を調整する場合、ユーザが調整を行う度に出力プレビュー画像の更新が行われる。ここで、閾値の微調整を細かく実行した場合、２色変換の画像処理等の出力プレビュー画像の生成処理が大きくなることで、出力プレビューのリアルタイム性が失われる恐れがある。
また、入力カラー原稿に含まれる色に影響を与えない範囲でユーザが閾値の調整を行った場合、出力プレビューの表示は変わらないということになる。これにより、ユーザは、設定した閾値が出力プレビューに反映されているかを体感できず、適切な閾値をスムーズに設定することができない問題がある。
【０００５】
本発明はこのような問題点に鑑みなされたもので、ユーザが適切な閾値をスムーズに設定可能にすることを目的とする。
【課題を解決するための手段】
【０００６】
そこで、本発明は、２色変換に関する特徴量の閾値を変更する変更画面を表示部に表示する表示手段と、前記変更画面を介して変更された前記閾値に基づき入力データに対して２色変換を行う２色変換手段と、を有し、前記表示手段は、前記変更画面に前記閾値を変更する際の参考情報を含めて、前記変更画面を前記表示部に表示する。
【発明の効果】
【０００７】
本発明によれば、ユーザが適切な閾値をスムーズに設定可能にすることができる。
【図面の簡単な説明】
【０００８】
【図１】印刷システムのシステム構成等の一例を示す図である。
【図２】印刷装置の２色コピー処理の一例を示すフローチャートである。
【図３】制御装置の２色変換処理の一例を示すフローチャートである。
【図４】カラー原稿画像の一例を示す図である。
【図５】ヒストグラム画像の一例を示す図である。
【図６Ａ】変換候補画像の一例を示す図（その１）である。
【図６Ｂ】変換候補画像の一例を示す図（その２）である。
【図６Ｃ】変換候補画像の一例を示す図（その３）である。
【図７】閾値変更画面の一例を示す図である。
【図８】更新された閾値変更画面の一例を示す図である。
【図９】更新された閾値変更画面の一例を示す図である。
【図１０】制御装置の２色変換処理の一例を示すフローチャートである。
【図１１】黒及び緑、緑及び赤のグラデーションと黒文字とで構成されたデータの一例を示す図である。
【図１２】ヒストグラム画像の一例を示す図である。
【図１３】閾値変更画面の一例を示す図である。
【発明を実施するための形態】
【０００９】
以下、本発明の実施形態について図面に基づいて説明する。
【００１０】
＜実施形態１＞
本実施形態では、印刷装置１００のようなＭＦＰ（Ｍｕｌｔｉ  Ｆｕｎｃｔｉｏｎ  Ｐｒｉｎｔｅｒ）を例として説明を行う。しかしながら、ＳＦＰ（Ｓｉｎｇｌｅ  Ｆｕｎｃｔｉｏｎ  Ｐｒｉｎｔｅｒ）やＬＢＰ（Ｌａｓｅｒ  Ｂｅａｍ  Ｐｒｉｎｔｅｒ）、その他のプリント方式のプリンタでもよい。
図１は、印刷システムのシステム構成等の一例を示す図である。
印刷装置１００は、ＬＡＮ（Ｌｏｃａｌ  Ａｒｅａ  Ｎｅｔｗｏｒｋ）１９０にて、ホストコンピュータ（本実施形態ではＰＣ１９１、ＰＣ１９２）に接続されている。
印刷装置１００は、リーダー装置（リーダー部）２００、プリンタ装置（プリンタ部）３００、操作部１５０、画像記憶部１６０、これら各構成要素を制御する制御装置（コントローラ部）１１０によって構成されている。制御装置１１０は、ＲＯＭ１１４、ＲＡＭ１１６、ＣＰＵ１１２等を有し、ＣＰＵ１１２がＲＯＭ１１４又は他の記憶媒体に格納されたプログラムに基づいて、処理を実行することによって印刷装置１００全体を統括制御する。なお、ＲＡＭ１１６は、ＣＰＵ１１２の作業領域として用いられる。リーダー装置２００では、画像データの読み取りを行う。プリンタ装置３００では、プリンタエンジンを用いて画像データの出力を行う。操作部１５０は、ユーザが操作を行うための操作キー、及び画像データや各種機能の表示／設定等を行う液晶パネルを備える。画像記憶部１６０では、ＰＤＬ、電子文書、画像データ等のデータの格納／保存できる。液晶パネルは、表示部の一例である。
【００１１】
コピー処理についての概要を説明する。リーダー装置２００は、操作部１５０からの読み込み指示を受けて、セットされた原稿画像の読み込みを行う。制御装置１１０のＣＰＵ１１２は、読み込まれた原稿画像に対して画像処理を施した画像を生成し、プリンタ装置３００でその画像を紙等の印刷媒体に出力させる。なお、ＣＰＵ１１２は、読み込まれた原稿或いは画像処理が施された画像を一旦、画像記憶部１６０へ格納し、操作部１５０でプレビュー確認を行った後にプリンタ装置３００で出力させるようにしてもよい。
続いて、プリント処理についての概要を説明する。ＰＣ１９１、或いはＰＣ１９２は、アプリケーションからＯＳを介して依頼された印刷命令を基にプリンタドライバを用いてＰＤＬを生成し、ＬＡＮ１９０を介して印刷装置１００へ送信する。印刷装置１００は、制御装置１１０のＣＰＵ１１２を用いて受信したＰＤＬを解析してレンダリング処理を行い、ラスタイメージ及びラスタイメージの各ピクセルに対応する属性ビットを作成する。その後、ＣＰＵ１１２は、属性ビットを基にラスタイメージに画像処理を施した画像を生成し、プリンタ装置３００でその画像を紙等の印刷媒体に出力させる。ここでは、ＬＡＮ１９０を介してＰＤＬが入力された例を示したが、ＣＰＵ１１２は、印刷装置１００に接続されたＵＳＢメモリ等の可搬メディアや画像記憶部１６０に保存されたＰＤＬを使用してもよい。
上述のような構成の印刷システムを例に挙げ、より具体的な２色コピーの実施形態を以下に述べる。実施形態ではコピーでの実施を説明するが、プリントについても同様の処理を実現することができる。
なお、ＣＰＵ１１２が、ＲＯＭ１１４、又はＲＡＭ１１６等に記憶されたプログラムに基づき処理を実行することによって、後述するフローチャートに係る処理等が実現される。以下では説明の簡略化のため、ＣＰＵ１１２ではなく、制御装置１１０が処理を行うものとして説明を行う場合もある。
【００１２】
図２は、印刷装置１００の２色コピー処理の一例を示すフローチャートである。図中のＳ２００〜Ｓ２５０は各ステップを示す。このフローチャートを用いて、本実施形態での印刷処理について説明を行う。
Ｓ２００で、ユーザは、操作部１５０でコピー色設定やプレビュー表示の有無や画像処理等の各種設定を行ったうえで、操作部１５０から読み込み開始を指示する。リーダー装置２００は、操作部１５０からの読み込み指示を受けて、セットされた原稿画像の読み込みを行う。
Ｓ２１０で、制御装置１１０は、読み込まれた原稿画像がカラー画像かモノクロ画像かのチェックを行う。カラー画像であった場合にはＳ２２０へ、モノクロ画像であった場合にはＳ２４０へ進む。
Ｓ２２０で、制御装置１１０は、読み込まれた原稿画像に対してシャープネス処理やカラーマッチング処理、読み込み時のノイズの除去等といった画像処理を行う。
Ｓ２３０で、制御装置１１０は、２色変換処理を行う。
【００１３】
図３は、制御装置１１０の２色変換処理の一例を示すフローチャートである。図中のＳ３００〜Ｓ３８０は各ステップを示す。このフローチャートを用いて、本実施形態での２色変換処理について説明を行う。
Ｓ３００で、制御装置１１０は、Ｓ２００でユーザが設定した出力プレビュー表示を行うか否かの設定をチェックする。制御装置１１０は、出力プレビュー表示を行う設定となっていた場合にはＳ３１０へ、表示を行わない設定となっていた場合にはＳ３８０へ進む。
Ｓ３１０で、制御装置１１０は、２色変換処理の閾値をユーザが調整する際に補助的な役割を果たす参考情報の生成を行う。例えば、制御装置１１０は、図４のような黒、青、緑、ピンク、赤といった複数の色で構成されるカラー原稿画像を処理する際に、まずは各画素の２色印刷で閾値として２色分離に使用するパラメータ（特徴量）を取得する。ここではパラメータとして彩度値を使用するものとして説明を行うが、それ以外の色相値・輝度値・Ｒ／Ｇ／Ｂ各成分の値（ＲＧＢ成分値）等をパラメータに用いた場合についても同様である。制御装置１１０が取得した彩度値のヒストグラムを基にヒストグラム画像を作成すると図５の左側のようになる。ここで、制御装置１１０がＳ２２０でのノイズ除去や背景の白色を除去して図５の右側の画像が得られる。まずは、制御装置１１０は、このヒストグラム画像を参考情報として保持する。次に、制御装置１１０は、このヒストグラム値でピークとなる個所を所定の数（本実施形態では３つとする）だけ抽出する。制御装置１１０は、そのピークとなる個所を閾値とした２色変換を実施した変換候補画像を生成し、参考情報として保持する。ここでは表示可能な数の変換候補画像の生成を行ったが、制御装置１１０は、他のピーク個所については以降の処理の裏で変換候補画像の生成を行ってもよい。事前に他の変換候補画像も生成しておくことで、表示する際に画像が準備できていることでよりスムーズな表示が可能となる。生成された変換候補画像を図６Ａ、図６Ｂ、図６Ｃに示す。なお、参考情報の生成処理負荷を軽減させるため、制御装置１１０は、これらの処理を縮小させた画像を基に行ってもよい。
【００１４】
Ｓ３１１で、制御装置１１０は、操作部１５０の液晶パネル上に閾値変更画面の表示を行う。図７は、閾値変更画面の一例を示す図である。閾値変更画面は、入力されたカラー原稿画像５００、出力結果のプレビュー表示画像５１０、Ｓ３１０で生成したヒストグラム画像５３０、変換候補画像５２０、閾値指定ＵＩ５６０、閾値決定ボタン５４０・５５０によって構成される。ヒストグラム画像５３０には、閾値指定ＵＩ５６０、変換候補画像５２０に挙げられている３つの閾値のポイントがわかるように表示されている。ここで、出力結果のプレビュー表示画像５１０には、予め設定されていた初期設定の閾値（５０％）を基に生成された変換候補画像が表示されている。ここでは初期設定閾値が例に挙げられている。しかしながら、制御装置１１０は、初期設定閾値と変換候補として算出された閾値とが乖離している場合は、初期設定閾値から最も近い閾値の変換候補画像と閾値とを決定してもよい。また、制御装置１１０は、最もヒストグラム値でピークとなっていた個所や、全画素の中での画素の割合を基に最初に表示させる閾値を決定してもよい。変換候補画像５２０に表示しきれなかったものについては、変換候補画像５２０内の「より黒く」「より赤く」若しくは変換候補画像間のボタンを選択することで表示を更新することが可能である。本実施形態で挙げた例の場合は、より黒くする場合のみ選択可能であり、それ以外の表示はグレーアウトして選択できないようになっている。
【００１５】
Ｓ３２０で、ユーザは、２色変換閾値の変更を行う。制御装置１１０は、前記変更に係る操作を受け付ける。
Ｓ３３０で、制御装置１１０は、前記受け付けた操作に基づき、変換候補画像５２０の中から所望の出力となる画像が選択されたか否かを判断する。変換候補画像５２０の中から所望の出力となる画像を選択することで閾値が指定された場合には、制御装置１１０は、Ｓ３４０へ進む。ヒストグラム画像５３０での位置や閾値指定ＵＩ５６０から数値を基に閾値が指定された場合には、制御装置１１０は、Ｓ３５０へ進む。
Ｓ３４０で、制御装置１１０は、Ｓ３３０で選択された画像とその画像の変換閾値とを基に閾値変更画面を更新する。変換候補画像５２０の中から向かって右の画像が選択された場合を例に挙げて説明を行う。図８は、更新された閾値変更画面の一例を示す図である。図８に示されるように、制御装置１１０は、変換候補画像の中から選択されたものがわかるように表示する。より具体的に説明すると、制御装置１１０は、選択された変換候補画像を拡大し、出力結果のプレビュー表示画像５１１として更新する。また、これにより閾値が変更されるため、制御装置１１０は、閾値指定ＵＩ５６１及びヒストグラム画像５３１も更新する。
【００１６】
Ｓ３５０で、制御装置１１０は、ヒストグラム画像５３０での位置や閾値指定ＵＩ５６０での数値を用いて指定された閾値を基に、閾値変更画面を更新する。今回は７０％という閾値が設定された場合を例に挙げて説明を行う。図９は、更新された閾値変更画面の一例を示す図である。制御装置１１０は、設定された閾値を基に、閾値指定ＵＩ５６２とヒストグラム５３２とを更新する。ここで、制御装置１１０は、今回の入力データの場合には、閾値５１％から７５％までの処理結果に変化が無いことがＳ３１０でヒストグラムを求めた際にわかっている。そのため、制御装置１１０は、出力結果のプレビュー表示画像５１２には７５％の閾値を用いた変換候補画像を拡大表示し、変換候補画像５２２に選択された画像がわかるように表示する。変換候補画像として生成されていない場合、制御装置１１０は、指定された閾値で２色変換を行い、出力結果のプレビュー表示画像として表示する。
Ｓ３６０で、制御装置１１０は、変換結果がＯＫか否かを判定する。例えば、制御装置１１０は、所定時間内にユーザによって閾値決定ボタン５４０が選択された場合は、変換結果がＯＫであると判定し、Ｓ３７０へ進む。一方、制御装置１１０は、所定時間内にユーザによって閾値決定ボタン５４０が選択されなかった場合、Ｓ３２０へ戻る。この場合、ユーザは、再度、閾値の変更に係る操作を行う。
Ｓ３７０で、制御装置１１０は、Ｓ３６０で決定した閾値を用いて２色変換を行い、図３に示す処理を終了する。なお、Ｓ３１０の処理で縮小画像を用いなかった場合には既に２色変換の出力画像が得られているため、Ｓ３７０の処理は省略可能である。
【００１７】
再び、図２の説明に戻り、Ｓ２４０で、制御装置１１０は、入力された原稿画像にモノクロ用の画像処理を行う。
Ｓ２５０で、制御装置１１０がＳ２３０或いはＳ２４０で生成した画像を、プリンタ装置３００が紙等の印刷媒体に出力し、２色コピー処理を終了する。
なお、本実施形態では読み込んだ原稿をそのまま処理を行ったが、読み込んだ原稿を一旦、画像記憶部１６０へ格納し、操作部１５０でプレビュー確認を行った後にプリンタ装置３００での出力を行ってもよい。また、今回は１ページデータを処理した場合を例に説明を行ったが、複数ページを処理する場合も上述した処理と同様である。制御装置１１０は、ページ毎に閾値を設定さても、ジョブ全体で一律の閾値を設定させてもよい。ジョブ全体で一律の閾値を設定させる場合、制御装置１１０は、それぞれのページの出力プレビュー画像、ヒストグラム画像、変換候補画像を同時にユーザが確認できるよう、一画面上に並べて表示してもよい。
【００１８】
＜実施形態２＞
２色コピー処理は実施形態１と同じであるため説明を省略し、Ｓ２３０での２色変換処理の処理についてのみ述べる。図１０は、制御装置１１０の２色変換処理の一例を示すフローチャートである。図中のＳ３００〜Ｓ３７０は、各ステップを示す。このフローチャートを用いて、本実施形態での２色変換処理について説明を行う。
Ｓ３００で、制御装置１１０は、Ｓ２００でユーザが設定した出力プレビュー表示を行うか否かの設定をチェックする。制御装置１１０は、出力プレビュー表示を行う設定となっていた場合にはＳ３１５へ、表示を行わない設定となっていた場合にはＳ３８０へ進む。
Ｓ３１５で、制御装置１１０は、２色変換処理の閾値をユーザが調整する際に補助的な役割を果たす参考情報の生成を行う。本実施形態では図４・図１１の２つの入力データを用いて説明を行う。図１１は、黒及び緑、緑及び赤のグラデーションと黒文字とで構成されたデータの一例を示す図である。図１２は、ヒストグラム画像の一例を示す図である。本ステップでは、制御装置１１０は、実施形態１のＳ３１０とは異なり、生成する参考情報はヒストグラム画像生成までとし、変換候補画像の生成は行わない。
【００１９】
Ｓ３１６で、制御装置１１０は、Ｓ３１５で生成したヒストグラムからそれぞれの入力データごとに閾値設定画面の表示方法を切り替える。つまり、制御装置１１０は、入力データの特徴量の傾向から閾値設定画面の表示方法を切り替える。制御装置１１０は、図４の入力データのように、ヒストグラムの分布に突出した点があるデータの場合には、変換候補画像を生成し、Ｓ３１１へ進む。一方、制御装置１１０は、図１１の入力データのようにヒストグラムの分布が一様で突出した点が無いデータの場合には、初期設定値での出力プレビュー画像のみ生成し、Ｓ３１２へ進む。図４と図１１との入力データに対する処理で異なる点は変換候補画像を生成するか否かという点である。図１１の入力データではヒストグラム上でのピーク個所を複数検出することが困難であり、変換候補画像として適切なものを生成できない可能性が高い。そのため、制御装置１１０は、変換候補画像は生成せずに本ステップでの処理時間をなるべく抑えて以降のステップに処理を進める。
Ｓ３１１、Ｓ３２０、Ｓ３４０、Ｓ３６０の処理については実施形態１と同様のため説明を省略する。
Ｓ３１２で、制御装置１１０は、操作部１５０の液晶パネル上に閾値変更画面の表示を行う。図１３は、閾値変更画面の一例を示す図である。図１３の閾値変更画面は、入力されたカラー原稿画像５０５、出力結果のプレビュー表示画像５１５、Ｓ３１５で生成したヒストグラム画像５３５、閾値指定ＵＩ５６５、閾値決定ボタン５４０・５５０によって構成される。図４の入力データの閾値設定画面である図７と異なる点は変換候補画像の表示が無い点である。制御装置１１０は、変換候補画像を表示しないことで余った領域に、ヒストグラム画像５３５の表示領域を広げてより大きく見えるようにしている。
【００２０】
Ｓ３２２で、ユーザは、閾値指定ＵＩ５６５或いはヒストグラム画像５３５に触れた位置によって２色変換閾値の変更を行う。制御装置１１０は、ユーザによる前記変更の操作を受け取る。
Ｓ３５２で、制御装置１１０は、Ｓ３２２で指定された閾値を基に出力結果プレビュー画像等を更新して、閾値変更画面を更新する。
Ｓ３６２で、制御装置１１０は、変更結果がＯＫか否かを判定する。例えば、制御装置１１０は、所定時間内にユーザによって閾値決定ボタン５４０が選択された場合は、変換結果がＯＫであると判定し、Ｓ３７０へ進む。一方、制御装置１１０は、所定時間内にユーザによって閾値決定ボタン５４０が選択されなかった場合、Ｓ３２０へ戻る。この場合、ユーザは、再度、閾値の変更に係る操作を行う。
Ｓ３７０で、制御装置１１０は、Ｓ３６０又はＳ３６2で決定した閾値を用いて２色変換を行い、図１０に示す処理を終了する。
【００２１】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００２２】
以上、上述した各実施形態によれば、２色変換する際、ユーザは、補足情報を参考に適切な閾値をスムーズに設定することができる。また、入力データを基に補足情報や閾値変更手段を切り替えることで、ユーザが閾値を設定するために必要な情報を参照しやすくすることができる。
よって、ユーザが適切な閾値をスムーズに設定可能にすることができる。
【００２３】
以上、本発明の好ましい実施形態について詳述したが、本発明は係る特定の実施形態に限定されるものではなく、特許請求の範囲に記載された本発明の要旨の範囲内において、種々の変形・変更が可能である。
【図１】
2014060521.tif 000003
【図２】
2014060521.tif 000004
【図３】
2014060521.tif 000005
【図４】
2014060521.tif 000006
【図５】
2014060521.tif 000007
【図６Ａ】
2014060521.tif 000008
【図６Ｂ】
2014060521.tif 000009
【図６Ｃ】
2014060521.tif 000010
【図７】
2014060521.tif 000011
【図８】
2014060521.tif 000012
【図９】
2014060521.tif 000013
【図１０】
2014060521.tif 000014
【図１１】
2014060521.tif 000015
【図１２】
2014060521.tif 000016
【図１３】
2014060521.tif 000017